【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機において、
前記ドライバビット着脱部またはドライバビットに右ねじのねじ穴または該ねじ穴に螺合する右ねじのおねじを設け、回転移動部材とドライバビットを互いの螺合によって連結させると共にドライバビットに嵌合してドライバビットに回転トルクを加える着脱工具によってドライバビットを着脱するようにしたことを特徴とする圧縮空気ねじ締機のドライバビットの着脱装置。
【請求項２】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機において、
エアモータ部、回転伝達部、回転移動部材の少なくとも一つに工具装着部を設け、前記ドライバビット着脱部またはドライバビットに右ねじのねじ穴または該ねじ穴に螺合する右ねじのおねじを設け、回転移動部材とドライバビットを互いの螺合によって連結させると共にドライバビットに嵌合してドライバビットに回転トルクを加える着脱工具を設け、前記工具装着部に装着された工具及び前記着脱工具の少なくとも一つによりドライバビットに回転トルクを加え、ドライバビットを着脱するようにしたことを特徴とする圧縮空気ねじ締機のドライバビットの着脱装置。
【請求項３】
前記工具装着部を前記エアモータのロータに設けたことを特徴とする請求項２記載の圧縮空気ねじ締機のドライバビットの着脱装置。
【請求項４】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機において、
前記エアモータ部、回転伝達部、回転移動部材の少なくとも一つに工具装着部を設け、前記ドライバビットを互いに螺合する２個のドライバビットにより構成すると共にドライブビット着脱部またはドライバビットに右ねじのねじ穴または該ねじ穴に螺合する右ねじのおねじを設けて回転移動部材とドライバビットを互いの螺合によって連結させ、ドライバビットに嵌合してドライバビットに回転トルクを加える着脱工具を設け、工具装着部に装着した工具、着脱工具の少なくとも一つにより回転力トルクをドライバビットに加え、ドライバビットを着脱するようにしたことを特徴とする圧縮空気ねじ締機のドライバビットの着脱装置。
【請求項５】
前記ドライバビットのうちピストン側に位置するドライバビットに前記工具装着部を設けたことを特徴とする請求項４記載の圧縮空気ねじ締機のドライバビットの着脱装置。
【請求項６】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機において、
回転移動部材の回転を固定する回転固定部材を設け、ドライバビット着脱部またはドライバビットに右ねじのねじ穴または該ねじ穴に螺合する右ねじのおねじを設け、回転移動部材とドライバビットを互いの螺合によって連結させると共にドライバビットに嵌合してドライバビットに回転トルクを加える着脱工具によってドライバビットを着脱するようにしたことを特徴とする圧縮空気ねじ締機のドライバビットの着脱装置。
【請求項７】
前記回転固定部材を、外部からの操作でエアモータ部、回転伝達部、回転移動部材の少なくとも一つと接触嵌合するように設け、さらに、常には回転伝達部の回転固定が解除される方向に回転固定部材を付勢するバネを設けたことを特徴とする請求項６記載の圧縮空気ねじ締機のドライバビットの着脱装置。
【請求項８】
前記回転固定部材には、一面が常に蓄圧室と連通しているピストンを設け、さらに、常にはエアモータ部、回転伝達部、回転移動部材の少なくとも一つと接触嵌合し、回転移動部材の回転を固定する方向に回転固定部材を付勢させるバネを設け、蓄圧室に圧縮空気が供給されている状態では、回転固定部材がバネに対抗して、回転伝達部の回転固定を解除する方向に移動することを特徴とする請求項６記載の圧縮空気ねじ締機のドライバビットの着脱装置。
【請求項９】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機において、
前記回転移動部材の回転を固定する回転固定部材を設け、ドライバビットを互いに螺合する２個のドライバビットにより構成し、ドライバビット着脱部またはドライバビットに右ねじのねじ穴または該ねじ穴と嵌合する右ねじのおねじを設け、回転移動部材とドライバビットを互いの螺合によって連結させると共にドライバビットに嵌合してドライバビットに回転トルクを加える着脱工具によってドライバビットを着脱するようにしたことを特徴とする圧縮空気ねじ締機のドライバビットの着脱装置。
【請求項１０】
外部からの操作でエアモータ部、回転伝達部、回転移動部材の少なくとも一つと接触嵌合し、回転移動部材の回転を固定する回転固定部材を設け、さらに、常には回転伝達部の回転固定が解除される方向に回転固定部材を付勢させるバネを設けたことを特徴とする請求項９記載の圧縮空気ねじ締機のドライバビットの着脱装置。
【請求項１１】
前記回転固定部材には、一面が常に蓄圧室と連通しているピストンを設け、さらに、常にはエアモータ部、回転伝達部、回転移動部材の少なくとも一つと接触嵌合し、回転移動部材の回転を固定する方向に回転固定部材を付勢させるバネを設け、蓄圧室に圧縮空気が供給されている状態では、回転固定部材がバネに対抗して、回転伝達部の回転固定を解除する方向に移動することを特徴とする請求項９記載の圧縮空気ねじ締機のドライバビットの着脱装置。
【請求項１２】
空気取入口から供給された圧縮空気を蓄積する蓄圧室と、圧縮空気により回転されるエアモータと、圧縮空気の圧力により移動されるピストン部及びドライバビットが装着されるドライバビット着脱部を有し、回転伝達部を介してエアモータにより回転される回転移動部材と、ピストン部を移動可能に支持するシリンダと、シリンダ、エアモータへの蓄圧室内圧縮空気の供給・停止を制御する主弁と、主弁を制御する外部から操作可能な操作弁と、後端が回転移動部材のドライバビット着脱部に装着され、先端が被締結材にねじ込まれるねじと嵌合可能なドライバビットとを備え、回転移動部材の下降動と右回転の回転力とによって、ドライバビットを介してねじを被締結材にねじ込む圧縮空気ねじ締機であって、
前記ドライバビット着脱部またはドライバビットに右ねじのねじ穴または該ねじ穴に螺合する右ねじのおねじを設け、回転移動部材とドライバビットを互いの螺合によって連結させると共にドライバビットに嵌合してドライバビットに回転トルクを加える着脱工具によってドライバビットを着脱するようにしたことを特徴とする圧縮空気ねじ締機。
【手続補正２】
【補正対象書類名】明細書
【補正対象項目名】００４８
【補正方法】変更
【補正の内容】
【００４８】
本第１実施形態のねじ締機は、上記したように、ボディ１からノーズ１０２を取り外さずに、ドライバビット１６の交換ができるため、従来技術に比べ、着脱交換の操作性向上の効果が得られる。またノーズ１０２の分解が不要であるため、分解時にシリンダ１５付近に塵等が混入することがなく故障も少なくなる効果を奏することができる。さらに、ドライバビット着脱部１０１は、ピストン部１３に設けたねじ穴１０８にドライバビット１６に設けたおねじ１０９が螺合固定されるため、使用中にドライバビット１６の先端が、ねじ１８のねじ頭の十字穴に焼き付いた時等においても、ドライバビット１６が抜けることがなく、ドライバビット着脱部１０１の確実性が保てる効果を奏することができる。